(57)【特許請求の範囲】
【請求項１】
開口部が形成された天井の上方に離間して設けられた天蓋体と、
前記開口部を上方から覆って設けられ、周縁部が前記開口部の周縁部と面接触する天井照明カバーと、
前記天蓋体と前記天井照明カバーとの間に設けられた照明体と、
前記天蓋体と前記天井照明カバーとの間に設けられ、前記天井照明カバーの前記周縁部が前記開口部の前記周縁部を押圧するように、前記天井照明カバーを押圧する押圧手段とを備え、
前記押圧手段は、一端部が前記天蓋体に固定され、他端部が前記天井照明カバーの前記周縁部に面接触した、ほぼＺ形状の板バネであることを特徴とする照明装置。
【請求項２】
前記板バネの前記他端部は、前記天井照明カバーの前記周縁部を押圧する押圧部と、前記天井へ向かって折曲された折曲部とを有し、
前記折曲部は、前記天井照明カバーの前記周縁部の端面に当接することで、前記天井照明カバーが水平方向へ移動することを規制することを特徴とする請求項１に記載の照明装置。
【請求項３】
エレベータのかごの天井に取り付けられることを特徴とする請求項１または請求項２に記載の照明装置。
【発明の詳細な説明】
【技術分野】
【０００１】
この発明は、天井に設けられた天井照明カバーを備えた照明装置に関する。
【背景技術】
【０００２】
従来、天井の下面に固定された取付体と、この取付体の下方に設けられた天井照明カバーと、前記天井と前記天井照明カバーとの間に設けられた照明体と、前記取付体と前記天井照明カバーとの間に設けられ、前記天井照明カバーを前記取付体に着脱可能にする着脱手段とを備えたエレベータかご内照明装置が知られている（例えば、特許文献１参照）。
このものの場合、例えば、長い棒等が天井照明カバーに衝突しても、天井照明カバーは着脱手段を介して取付体に固定されているので、天井照明カバーが落下することを防止することができる。
また、作業者は、着脱手段により天井照明カバーを取付体から取り外すことができるので、照明体等のメンテナンスを容易に行うことができる。
【０００３】
【特許文献１】特開２００７−３１４２８３号公報
【発明の開示】
【発明が解決しようとする課題】
【０００４】
しかしながら、このものの場合、着脱手段が、天井照明カバーに固定された係合部と、取付体に固定された被係合部とを有し、係合部と被係合部とが、互いに係合したり、互いの係合が解除されたりする構造となっているので、構成が複雑であるという問題点があった。
【０００５】
この発明は、上述のような問題点を解決することを課題とするものであって、その目的は、簡単な構成で天井照明カバーを天井に着脱可能に取り付けることができる照明装置を提供するものである。
【課題を解決するための手段】
【０００６】
この発明に係る照明装置は、開口部が形成された天井の上方に離間して設けられた天蓋体と、前記開口部を上方から覆って設けられ、周縁部が前記開口部の周縁部と接触する天井照明カバーと、前記天井照明カバーの上方に設けられた照明体と、前記天蓋体と前記天井照明カバーとの間に設けられ、前記天井照明カバーの周縁部が前記開口部の周縁部を押圧するように、前記天井照明カバーを押圧する押圧手段とを備え、前記押圧手段は、一端部が前記天蓋体に固定され、他端部が前記天井照明カバーの前記周縁部に面接触した、ほぼＺ形状の板バネである。
【発明の効果】
【０００７】
この発明に係る照明装置によれば、押圧手段は、天井照明カバーの周縁部が開口部の周縁部を押圧するように、天井照明カバーを押圧するので、簡単な構成で、天井照明カバーを天井に着脱可能に取り付けることができる。
【発明を実施するための最良の形態】
【０００８】
以下、この発明の各実施の形態を図に基づいて説明するが、各図において、同一または相当部材、部位については、同一符号を付して説明する。
実施の形態１．
図１はこの実施の形態に係る照明装置を下方から視た図、図２は図１のＩＩ−ＩＩ線に沿った矢視断面図、図３は図２のＡ部拡大図である。
この実施の形態に係る照明装置が取り付けられるエレベータのかごの天井１には、四角形状の開口部１ａが形成されている。
また、この照明装置は、天井１の上方に支持部材２を介して離間して固定された天蓋体である天蓋板３と、天井１の開口部１ａを上方から覆って設けられた天井照明カバー４と、この天井照明カバー４と天蓋板３との間に設けられた照明体５とを備えている。
【０００９】
天井照明カバー４は、上方から視たときに四角形状となっており、側面から視たときに、中央部が下側に窪んだカップ形状となっている。
この天井照明カバー４の周縁部４ａは、平板形状に形成されており、天井１の開口部１ａの周縁部１ｂに面接触する。
【００１０】
また、この照明装置は、天蓋板３と天井照明カバー４との間に設けられた、天井照明カバー４を押圧する押圧手段である、ほぼＺ形状の板バネ６を備えている。
板バネ６は、一端部が天蓋板３に固定され、中間部が天蓋板３から天井へ向かって延び、他端部が天井照明カバー４の周縁部４ａに面接触している。
これにより、簡単な構成で、天井照明カバー４の周縁部４ａを天井１の開口部１ａの周縁部１ｂへ向かって押圧することができる。
【００１１】
板バネ６の他端部が天井照明カバー４の周縁部４ａを天井１の開口部１ａの周縁部１ｂへ向かって押圧することで、天井照明カバー４の周縁部４ａが天井１の開口部１ａの周縁部１ｂを押圧する。
これにより、例えば、長い棒等が下方から天井照明カバー４に衝突しても、天井照明カバー４が天井１から上方へ持ち上げられることを抑制することができる。
また、天井１の開口部１ａの周縁部１ｂと天井照明カバー４の周縁部４ａとの間に発生する摩擦力が増大するので、例えば、長い棒等が横方向から天井照明カバー４に衝突しても、天井照明カバー４が水平方向へずれることを抑制することができる。
その結果、天井照明カバー４が落下することを抑制することができる。
【００１２】
天蓋板３には４個の板バネ６の一端部が面接触しており、それぞれの板バネ６がリベット７を介して天蓋板３に固定されている。
これにより、例えば、天井照明カバー４を押圧する手段がない既存の照明装置であっても、天蓋板３にリベット７を取り付ける孔を形成するだけで、簡単に、板バネ６を取り付けて、天井照明カバー４を天井１に着脱可能に取り付けることができる。
板バネ６は、上方から視たときに四角形状をした天井照明カバー４の各辺の中央部に配置されている。
【００１３】
図４は図２の天井照明カバー４を天井１から上方に持ち上げたときの様子を示す断面図である。
照明体５をメンテナンスする場合には、作業者は、天井照明カバー４を上方に持ち上げ、板バネ６を弾性変形させて、天井１と天井照明カバー４とを離間させる。
さらに、作業者が、天井照明カバー４を水平方向にスライドさせることで、板バネ６から天井照明カバー４を離間させて、天井照明カバー４を天井１から取り外す。
これにより、照明体５のメンテナンスを容易に行うことができる。
【００１４】
以上説明したように、この実施の形態に係る照明装置によれば、一端部が天蓋板３に固定され、他端部が天井照明カバー４の開口部１ａの周縁部１ｂを天井１へ向かって押圧する板バネ６を備えているので、簡単な構成で天井照明カバー４を天井１に着脱可能にすることができる。
また、板バネ６は天蓋板３にリベット７を介して固定されるので、天井照明カバー４を押圧する手段がない既存の照明装置であっても、天蓋板３にリベット７を取り付ける孔を形成するだけで、簡単に、板バネ６を取り付けて、天井照明カバー４を天井１に着脱可能にすることができる。
【００１５】
また、押圧手段は、一端部が天蓋板３に面接触し、中間部が天蓋板３から天井１へ向かって延び、他端部が天井照明カバー４の周縁部４ａに面接触した、ほぼＺ形状の板バネ６であるので、さらに簡単な構成で、天井照明カバー４を天井１に着脱可能にすることができる。
【００１６】
なお、上記実施の形態では、４個の板バネ６が、上方から視たときに四角形状をした天井照明カバー４の各辺の中央部に配置された照明装置について説明したが、勿論このものに限らない。
例えば、２個の板バネ６が、上方から視たときに四角形状をした天井照明カバー４の一対の対向した辺に配置された照明装置であってもよく、また、２個の板バネ６が、上方から視たときに四角形状をした天井照明カバー４の一対の対向したコーナー部に配置された照明装置であってもよい。
【００１７】
実施の形態２．
図５はこの実施の形態に係る照明装置を示す断面図、図６は図５の天井照明カバー４および板バネ６を上方から視た平面図、図７は図５のＢ部拡大図である。
この実施の形態に係る照明装置は、天蓋板３に、２個の板バネ６の一端部が固定されている。
それぞれの板バネ６は、上方から視たときに天井照明カバー４の四角形状の一対の対向したコーナー部に配置されており、他端部が天井照明カバー４の周縁部４ａに面接触している。
板バネ６の他端部は、天井照明カバー４の周縁部４ａを押圧した押圧部６ａと、天井１へ向かって折曲された折曲部６ｂとを有し、この折曲部６ｂは天井照明カバー４の周縁部４ａのコーナー部の両端面に当接している。
これにより、例えば、長い棒等が横方向から天井照明カバー４に強く衝突した場合であっても、天井照明カバー４が水平方向へずれることが規制される。
その他の構成は実施の形態１と同様である。
【００１８】
天井照明カバー４を天井１から取り外すには、実施の形態１と同様にして、作業者が、天井照明カバー４を上方へ持ち上げて、板バネ６を弾性変形させて、天井１と天井照明カバー４とを離間させる。
さらに、作業者が、天井照明カバー４を、板バネ６の押圧部６ａが面接触しているコーナー部とは異なる一対の対向したコーナー部を結んだ直線に沿ってスライドさせることで、板バネ６から天井照明カバー４を離間させて、天井照明カバー４を天井１から取り外す。
これにより、照明体５のメンテナンスを容易に行うことができる。
【００１９】
以上説明したように、この実施の形態に係る照明装置によれば、板バネ６の他端部は、天井照明カバー４の周縁部４ａを押圧した押圧部６ａと、天井１へ向かって折曲された折曲部６ｂとを有し、この折曲部６ｂが天井照明カバー４の周縁部４ａの端面に当接することで、天井照明カバー４が水平方向へ移動することが規制されるので、例えば、長い棒等が横方向から天井照明カバー４に強く衝突しても、天井照明カバー４が水平方向へずれることを規制することができる。
【００２０】
なお、上記各実施の形態では、押圧手段として、板バネ６を例に説明したが、勿論このものに限らず、例えば、コイルバネ等のように、天井照明カバー４の上面を天井１へ向かって押圧する部材であればよい。
【００２１】
また、上記各実施の形態では、エレベータのかごに取り付けられた照明装置について説明したが、勿論このものに限らず、その他の部材に取り付けられた照明装置であってもよい。
【図面の簡単な説明】
【００２２】
【図１】この発明の実施の形態１に係る照明装置を下方から視た図である。
【図２】図１のＩＩ−ＩＩ線に沿った矢視断面図である。
【図３】図２のＡ部拡大図である。
【図４】図２の天井照明カバーを天井から上方に持ち上げたときの様子を示す断面図である。
【図５】この発明の実施の形態２に係る照明装置を示す断面図である。
【図６】図５の天井照明カバーおよび板バネを上方から視た平面図である。
【図７】図５のＢ部拡大図である。
【符号の説明】
【００２３】
１  天井、１ａ  開口部、１ｂ  周縁部、２  支持部材、３  天蓋板、４  天井照明カバー、４ａ  周縁部、５  照明体、６  板バネ、６ａ  押圧部、６ｂ  折曲部、７  リベット。
【図１】
0005219620.tif 000002
【図２】
0005219620.tif 000003
【図３】
0005219620.tif 000004
【図４】
0005219620.tif 000005
【図５】
0005219620.tif 000006
【図６】
0005219620.tif 000007
【図７】
0005219620.tif 000008